(57)【特許請求の範囲】
【請求項１】
閉空間内に液相分散媒と顔料とを含む電気泳動表示用分散液が収容された電気泳動素子と前記顔料を泳動させるための一対の電極とを備えた電気泳動表示装置の駆動電圧及び駆動電圧の印加時間を設定する方法であって、
前記一対の電極に異なる電圧を印加した時の電流が電圧の印加開始時から基準の電流に達するまでの時間を前記異なる電圧のそれぞれに対して測定し、前記基準の電流に達するまでの時間と電圧との関係を求め、前記駆動電圧及び前記駆動電圧の印加時間を設定すること、
を特徴とする電気泳動表示装置の駆動電圧及び駆動電圧の印加時間を設定する方法。
【請求項２】
閉空間内に液相分散媒と顔料とを含む電気泳動表示用分散液が収容された電気泳動表示素子と、
前記顔料を泳動させるための一対の電極と、
前記一対の電極に駆動電圧を印加し、前記電気泳動表示素子を駆動する駆動電源と、
前記電気泳動表示素子に流れる電流値を検出する電流検出手段と、
前記電流検出手段の出力が、基準の電流に達したときの該電流検出手段の出力値に達したときに、前記駆動電圧の印加を停止する電圧印加制御手段と
を有する電気泳動表示装置。
【発明の詳細な説明】
【０００１】
【産業上の利用分野】
本発明は、電圧の印加により媒体中の荷電顔料が移動することを利用した電気泳動表示装置の駆動電圧及び駆動電圧の印加時間の設定する方法および電気泳動表示装置に関する。
【０００２】
【従来の技術】
従来より、図１３に示すような電気泳動表示素子が知られている。この電気泳動表示素子は、少なくとも一方が透光性の２枚のたとえばガラス基板１０が、隔壁１１を介して互いに所定間隔をもって対向し、これらガラス基板１０と隔壁１１によって閉空間を構成している。これらのガラス基板１０それぞれの対向する内面側には一対の平面状のＩＴＯ等の透明電極１２が固定されている。上記閉空間には、電気泳動表示用分散液１３が収容されており、この電気泳動表示用分散液１３は、たとえば黒色に着色された着色分散媒１３ａと、この分散媒１３ａに分散されている帯電したたとえば白色顔料１３ｂを含む。
【０００３】
このような電気泳動表示素子は、上記一対の電極１２に対し、たとえば図１４（Ａ）に示すように、上側の電極にプラス、下側の電極にマイナスの電圧を印加すると、着色分散媒１３ａ中に分散している負に帯電した白色顔料１３ｂがクーロン力によって陽極に向かって電気泳動し、白色顔料１３ｂが上側の陽極電極に付着する。このような状態の電気泳動表示装置を図１４（Ａ）に示すような目の位置から観察すると、白色顔料１３ｂが付着して層を形成した部分は透明電極１２とガラス基板１０とを介して白色に見えることになる。
一方、印加電圧の極性を逆にすれば、図１４（Ｂ）に示すように、白色顔料１３ｂは対面側の電極１２に付着して層を形成し、図示のような位置から観察すると、白色顔料層１３ｂが黒色分散媒１３ａの背後に隠れるので、電気泳動表示パネルは黒色に見えることになる。電圧の印加を停止すると、電極１２に付着した白色顔料層１３ｂは、その付着状態を維持するので、一旦白色顔料層１３ｂが電極１２に付着した後は、付着状態を維持する電圧を印加する以外は特に電圧を印加する必要はなくなる。
【０００４】
このような原理の電気泳動表示装置においては、駆動電圧は、白色顔料１３ｂが移動する間印加し続ける必要がある。もし、印加時間が短いと、白色顔料１３ｂが電極１２に達することができず、表示コントラストの低下を生じてしまう。このため、従来は、印加時間をかなり余裕を持って長めに設定していた。
【０００５】
【発明が解決しようとする課題】
しかしながら、印加時間を必要以上に長くすると、電極反応や分散液の電気分解などが起こり、その結果、電気泳動表示装置の寿命の低下を招いていた。
ところで、電気泳動表示装置は、電気泳動表示素子の分散媒や電極間の距離等によって、印加電圧や印加時間が異なり、ある電気泳動表示素子に対する適正な印加電圧とそれに対する適正な印加時間を求めることは容易ではなかった。
【０００６】
また、電気泳動表示装置は、分散液の変質、分散液中の界面活性剤などの添加物の変質など液体に電圧を印加する装置に特有の不安定要素があり、経時と共に、適正な電圧や印加時間が変動するという問題もある。このため、電圧印加時間が適正化され、寿命の長い電気泳動表示装置が要望されている。
【０００７】
本発明は、上記要望に鑑みなされたもので、適正な印加電圧とそれに対する適正な印加時間を容易に求めることができる泳動時間測定方法、及び電圧印加時間を適正化し、コントラストの低下を招くことなく、電極反応や電気分解による劣化を可及的に防止できる電気泳動表示装置の駆動電圧及び駆動電圧の印加時間の設定する方法および電気泳動表示装置を提供することを目的とする。
【０００８】
【課題を解決するための手段】
上記目的を達成するため、本発明は、閉空間内に液相分散媒と顔料とを含む電気泳動表示用分散液が収容された電気泳動素子と前記顔料を泳動させるための一対の電極とを備えた電気泳動表示装置の駆動電圧及び駆動電圧の印加時間を設定する方法であって、前記一対の電極に異なる電圧を印加した時の電流が電圧の印加開始時から基準の電流に達するまでの時間を前記異なる電圧のそれぞれに対して測定し、前記基準の電流に達するまでの時間と電圧との関係を求め、前記駆動電圧及び前記駆動電圧の印加時間を設定することを特徴とする。
【００１２】
また、本発明の電気泳動表示装置は、閉空間内に液相分散媒と顔料とを含む電気泳動表示用分散液が収容された電気泳動表示素子と、前記顔料を泳動させるための一対の電極と、前記一対の電極に駆動電圧を印加し、前記電気泳動表示素子を駆動する駆動電源と、前記電気泳動表示素子に流れる電流値を検出する電流検出手段と、前記電流検出手段の出力が、基準の電流に達したときの該電流検出手段の出力値に達したときに、前記駆動電圧の印加を停止する電圧印加制御手段とを有する。
【００１３】
【作用】
本発明の方法によれば、電圧印加時間に応じた電気泳動表示素子の輝度または電流値の変化に着目し、輝度または電流値が基準の値（ほぼ飽和）に達する時間が、分散液中の顔料が電極に達してほぼ完全に泳動を終了した瞬間の時間であるとみなし、電気泳動素子に所定の電圧の印加を開始してから該電気泳動表示素子の輝度または電流値が基準値に達するまでの印加時間を計測する。そして、所定の電圧での輝度または電流値の基準に達する時間が、その電圧における適正印加時間であり、種々の電圧でこの計測を繰り返すことで、適正電圧と適正印加時間を求める。
【００１４】
また、本発明の電気泳動表示装置よれば、上述した方法に基づいて駆動電圧に対応した適正印加時間が設定され、電圧印加時間制御装置によりこの適正印加時間で駆動電源の電圧印加を停止する。
このように、電圧印加時間制御装置を電気泳動表示装置に設けることにより、印加時間を適正化して必要最小限にし、コントラストの低下を招くことなく、電極反応や電気分解による劣化を可及的に防止できる。
また、電気泳動表示素子の輝度を検出できるセンサー、あるいは電流値を検出する電流検出手段を設け、このセンサーあるいは電流検出手段の出力が予め計測した輝度または電流値の基準値（飽和値）に対応するセンサーまたは電流検出手段の出力に達したときに、電圧印加制御手段により駆動電圧印加を停止する。
【００１５】
【実施例】
以下、本発明の実施例について詳しく説明するが、本発明は下記の実施例に限定されるものではない。
【００１６】
［第１実施例］
図１は、本発明の泳動時間測定方法に用いる装置のブロック図である。本装置には、電気泳動表示素子２が含まれる。
【００１７】
この電気泳動表示素子２は、少なくとも一方が透光性の２枚のたとえばガラス基板１０が、隔壁１１を介して互いに所定間隔をもって対向し、これらのガラス基板１０それぞれの対向する内面側には一対の平板状の透明電極１２が固定され、これらガラス基板１０、電極１２、隔壁１１によって閉空間が構成されている。なお、電極１２自体が基板を構成する場合もあり、この場合はガラス基板１０は省略可能である。このような閉空間をいくつか設け、各閉空間を組み合わせた構成とすることもできる。上記透明電極１２としては、たとえば酸化インジウム・スズ（ＩＴＯ）を所用のパターンで形成したものを例示することができる。また、隔壁１１の厚さ（電極間距離）は、通常２０μｍ〜１ｍｍ程度である。
【００１８】
上記閉空間には、電気泳動表示用分散液１３が収容されており、この電気泳動表示用分散液１３は、着色分散媒１３ａと、この分散媒に分散されている帯電した顔料１３ｂを含む。
【００１９】
この電気泳動表示素子２は、駆動電源３によってその電極１２に所定の電圧が印加される。また、電気泳動表示素子２の前面には、輝度計（センサー）２１が設置されている。輝度計２１としては、たとえば光電子倍増管等の光センサーを用いることができる。電気泳動表示素子２を駆動電源３によって所定の電圧で駆動し、電気泳動表示素子２の表示（輝度）変化を輝度計２１で測定し、このデータ値を処理手段２２で処理し、駆動電源３の印加電圧を変えて同じように測定する。この手順によって、種々の電圧に対する適正印加時間を求めることができる。
【００２０】
電圧印加時間に対する輝度の変化の一例を図２に示す。図２から、顔料が泳動を終了した時間は、輝度の飽和として検知できることがわかり、この時間を飽和時間データ値とする。図２の例では、電気泳動表示素子２の飽和時間データ値は６０ｍ秒（ｍｓ）である。従って、この時に印加した電圧では、印加時間を６０ｍｓに設定することにより、コントラストの低下を招くことなく、劣化を最小にすることができる。
なお、輝度とは、面積光源に関する測光量の一つであって、面積光源面上の１点、与えられた方向に向かう光束を、その点を含む微小面積の与えられた方向への正射影面積とその方向の微小立体角の積でわった値である。
【００２１】
上述した種々の印加電圧に対する輝度の変化を自動的に測定する方法を、図３、図４で説明する。図３は、予め最低印加時間ＴＬ  と最大印加時間ＴＵ  及び最低印加電圧ＶＬ  と最大印加電圧ＶＵ  を設定し、これをテーブル化して測定装置の処理手段２２に記憶させておく範囲を示す。
【００２２】
図４のフローチャートで処理手段２２の処理手順を説明する。
まず、ステップＳ１で印加電圧Ｖを最低印加電圧ＶＬ  に設定し、ステップＳ２で印加時間Ｔを最低印加時間ＴＬ  に設定する。
次に、ステップＳ３で、設定された印加電圧Ｖにおいて、設定された印加時間Ｔだけデバイス（電気泳動表示素子）を駆動すると共に、ステップＳ４で、電気泳動表示素子２の輝度をセンサー２１で検出し、ステップＳ５で輝度、印加電圧Ｖ、印加時間Ｔを記憶する。
そして、ステップＳ６で印加時間が最大印加時間ＴＵ  を超えたか否かを判定し、超えない場合（Ｎ）は、印加時間に所定の時間（ΔＴ）を加え、更にその印加時間（Ｔ＋ΔＴ）、印加電圧Ｖで電気泳動表示素子２の駆動を続け、最大印加時間ＴＵ  まで設定された印加電圧Ｖで輝度の測定を行う。
印加時間が最大印加時間ＴＵ  を超えた場合は、次のステップＳ８で印加電圧が最大印加電圧ＶＵ  を超えたか否かを判定する。超えない場合（Ｎ）は、印加電圧に所定の電圧（ΔＶ）を加えた後、ステップＳ２に戻り、その印加電圧（Ｖ＋ΔＶ）で最低印加時間ＴＬ  だけ電気泳動表示素子を駆動し、その印加電圧（Ｖ＋ΔＶ）での印加時間と輝度を測定する。
このような手順により、最大印加電圧ＶＵ  になるまで電圧を加えて駆動する手順を繰り返し、最低印加電圧ＶＬ  から最大印加電圧ＶＵ  までをΔＶ間隔毎の輝度の変化と印加時間の関係を求めることができる。印加時間が最大印加電圧ＶＵ  を超えた場合は、測定の終了であるので、次のステップＳ１０で結果をプリントで表示させ、更にステップＳ１１でこれに基づき最適印加電圧、最適印加時間を決定する。
【００２３】
このような泳動時間測定方法によれば、製造時のばらつき、経時劣化等があっても個々の電位泳動表示素子に対する適正印加時間を容易かつ確実に求めることができ、求めた適正印加時間で電気泳動表示素子を駆動すれば、コントラストの低下を招くことなく、電極反応や電気分解による劣化を可及的に防止できる。
【００２４】
［第２実施例］
図５は、本発明の電気泳動表示装置の構成の一実施例を示す概略図である。この電気泳動表示装置は、電気泳動表示素子２と、この電気泳動表示素子２を駆動する駆動電源３ａと、駆動電源３ａの電気泳動表示素子２に対する電圧印加時間を制御する電圧印加時間制御装置４とを具備する。
このうち、電気泳動表示素子２については、既に説明したので、同じ符号を付してその説明を省略する。
【００２５】
本例の特徴である電圧印加時間制御装置４は、駆動電源３ａによる電気泳動表示素子２の印加時間を制御する機能を有する。電圧印加時間制御装置４は、たとえば可変抵抗器を用いたパルス幅設定機構で構成することができるが、これに限られるものではない。本発明においては、このパルス幅は、予め設定しておく。このようなパルス幅の設定方法は、第１実施例で説明した泳動時間測定方法によって求めることができる。たとえば、図２の例では、飽和時間データ値は６０ｍｓである。従って、パルス幅設定機構の駆動電圧の印加時間（パルス幅）を６０ｍｓに設定する。なお、たとえば輝度が飽和値の９５％に達したときを基準にしてもよく、その他設定の基準は種々変更することができる。
【００２６】
本実施例によれば、電気泳動表示素子２の顔料が泳動を終了した時間に電圧の印加を停止することができるので、コントラストの低下を招くことなく、電極反応や電気分解による劣化を可及的に防止できる。
【００２７】
［第３実施例］
図６は、本発明の第３実施例の電気泳動表示装置の構成を示すブロック図である。この電気泳動表示装置は、駆動電源３ａの駆動電圧をスイッチング部２３を介して電気泳動表示素子２に印加し、電気泳動表示素子２を駆動するようになっている。また、電気泳動表示素子２の輝度を検出できるセンサー２１が設けられ、このセンサー２１の信号はセンサー出力判断手段２２ａに出力される。このセンサー出力判断手段２２ａと上記スイッチング部２３とで電圧印加制御手段を構成している。
【００２８】
図７に示すフローチャートで、センサー出力判断手段２２ａの処理手順を説明すると、飽和輝度（たとえば図２における６０ｍｓの輝度）に対応する飽和センサー出力値ＴＨＬを予め求めて設定しておき、この飽和センサー出力値ＴＨＬとセンサー出力Ｌとを比較し、センサー出力Ｌが飽和センサー出力値ＴＨＬを上回ったときに、スイッチング部２３に電圧印加を停止する信号を出力し、スイッチング部２３はこれを受けて駆動電源３ａからの駆動電圧を停止する。
【００２９】
これにより、顔料が移動を終了した時間に電気泳動表示素子の駆動を確実に停止することができ、電極反応や電気分解による電気泳動表示素子の劣化を確実に防止することができる。
【００３０】
なお、センサーにより輝度を検出する電気泳動表示素子は、モニター用として実際に表示機能を行うパネルとは別体に構成し、内蔵型とすることも可能である。また、センサー等は実施例１と同じものを使用することができる。内蔵型とするときは、検出用の光を強度の大きいものとすることができるので、センサーとしては低感度のものも使用可能である。
【００３１】
［第４実施例］
図８は、本発明の他の泳動時間測定方法に用いる装置のブロック図である。
本第４実施例に係る方法は、図１に示す装置を用いる方法とは以下の点で異なる。
すなわち、図１の装置を用いる方法は、電気泳動表示素子２の表示（輝度）変化を輝度計２１で測定し、このデータ値を処理手段２２で処理し、駆動電源３の印加電圧を変えて同じように測定することによって、種々の電圧に対する適正印加時間を求める方法であるのに対し、本第４実施例に係る方法は、駆動電圧印加時に、電気泳動表示素子２に流れる電流値を、たとえばモニタを備えた電流検出器２４で測定し、このデータ値を処理手段２５で処理し、駆動電源３の印加電圧を変えて同じように測定することによって、種々の電圧に対する適正印加時間を求めるようになっている点が異なる。
【００３２】
本方法は、電気泳動表示素子２において、駆動電圧印加時、粒子（顔料１３ｂ）の移動（泳動）中と電極１２の表面に達したときとで流れる電流値が変化すること、すなわち、帯電した顔料が泳動している間は電流は大きく、電極表面に達したときはその動きが止まり電流は小さくなるとことに基づく。
本方法は、この原理に基づいて、駆動電圧印加時の電流を計測することによって、顔料が他方の電極に移動しきった瞬間を検知することにより、駆動電圧印加時間を必要最小限にすることを可能にするものである。
【００３３】
電圧印加時間に対する電気泳動表示素子２に流れる電流の変化の一例を図９に示す。本例は、駆動電圧を４００ｍ秒（ｍｓ）の間印加した時の電流データの一例を示している。
図９から、顔料が泳動を終了した時間は、電流の飽和として検知できることがわかり、この時間を飽和時間データ値とする。図９の例では、電気泳動表示素子２の飽和時間データ値は３００ｍｓである。従って、この時に印加した電圧では、印加時間を３００ｍｓに設定することにより、コントラストの低下を招くことなく、劣化を最小にすることができる。
【００３４】
上述した種々の印加電圧に対する輝度の変化を自動的に測定する方法を、前述の実施例の説明で参照した図３、並びに図１０を参照しつつ説明する。なお、上述したように、図３は、予め最低印加時間ＴＬ  と最大印加時間ＴＵ  及び最低印加電圧ＶＬ  と最大印加電圧ＶＵ  を設定し、これをテーブル化して測定装置の処理手段２５に記憶させておく範囲を示す。
【００３５】
図１０のフローチャートで処理手段２５の処理手順を説明する。
まず、ステップＳＴ１で印加電圧Ｖを最低印加電圧ＶＬ  に設定し、ステップＳＴ２で印加時間Ｔを最低印加時間ＴＬ  に設定する。
次に、ステップＳＴ３で、設定された印加電圧Ｖにおいて、設定された印加時間Ｔだけデバイス（電気泳動表示素子）を駆動すると共に、ステップＳＴ４で、電気泳動表示素子２に流れる電流値を電流検出器２４で検出し、ステップＳＴ５で検出した電流値、印加電圧Ｖ、印加時間Ｔを記憶する。
そして、ステップＳＴ６で印加時間が最大印加時間ＴＵ  を超えたか否かを判定し、超えない場合（Ｎ）は、印加時間に所定の時間（ΔＴ）を加え、更にその印加時間（Ｔ＋ΔＴ）、印加電圧Ｖで電気泳動表示素子の駆動を続け、最大印加時間ＴＵ  まで設定された印加電圧Ｖで電流値の測定を行う。印加時間が最大印加時間ＴＵ  を超えた場合は、次のステップＳＴ８で印加電圧が最大印加電圧ＶＵ  を超えたか否かを判定する。
超えない場合（Ｎ）は、印加電圧に所定の電圧（ΔＶ）を加えた後、ステップＳＴ２に戻り、その印加電圧（Ｖ＋ΔＶ）で最低印加時間ＴＬ  だけ電気泳動表示素子２を駆動し、その印加電圧（Ｖ＋ΔＶ）での印加時間と輝度を測定する。
このような手順により、最大印加電圧ＶＵ  になるまで電圧を加えて駆動する手順を繰り返し、最低印加電圧ＶＬ  から最大印加電圧ＶＵ  までをΔＶ間隔毎の輝度の変化と印加時間の関係を求めることができる。印加時間が最大印加電圧ＶＵ  を超えた場合は、測定の終了であるので、次のステップＳＴ１０で結果をプリントで表示させ、更にステップＳＴ１１でこれに基づき最適印加電圧、最適印加時間を決定する。
【００３６】
以上のように、本第４実施例に係る泳動時間測定方法によれば、上述した第１実施例に係る泳動時間測定方法と同様に、製造時のばらつき、経時劣化等があっても個々の電位泳動表示素子に対する適正印加時間を容易かつ確実に求めることができ、求めた適正印加時間で電気泳動表示素子を駆動すれば、コントラストの低下を招くことなく、電極反応や電気分解による劣化を可及的に防止できる。
【００３７】
［第５実施例］
図１１は、本発明の第５実施例の電気泳動表示装置の構成を示す概略図である。この電気泳動表示装置は、電気泳動表示素子２と、この電気泳動表示素子２を駆動する駆動電源３ａと、駆動電源３ａの電気泳動表示素子２に対する電圧印加時間を制御する電圧印加時間制御装置４ａとを具備する。
このうち、電気泳動表示素子２については、既に説明したので、同じ符号を付してその説明を省略する。
【００３８】
本例の特徴である電圧印加時間制御装置４ａは、駆動電源３ａによる電気泳動表示素子２の印加時間を制御する機能を有する。電圧印加時間制御装置４ａは、たとえば可変抵抗器を用いたパルス幅設定機構で構成することができるが、これに限られるものではない。本第５実施例においても上述した第２実施例の場合と同様に、駆動パルス幅は、予め設定しておく。
電圧印加時間制御装置４ａによるパルス幅の設定方法は、第４実施例で説明した泳動時間測定方法によって求めることができる。
たとえば、図９の例では、飽和時間データ値は３００ｍｓである。従って、パルス幅設定機構の駆動電圧の印加時間（パルス幅）を３００ｍｓに設定する。
なお、この場合もたとえば電流値が飽和値の９５％に達したときを基準にしてもよく、その他設定の基準は種々変更することができる。
【００３９】
本第５実施例によれば、上述した第２実施例と同様に、電気泳動表示素子２の顔料が泳動を終了した時間に電圧の印加を停止することができるので、コントラストの低下を招くことなく、電極反応や電気分解による劣化を可及的に防止できる。
【００４０】
［第６実施例］
図１２は、本発明の第６実施例の電気泳動表示装置の構成を示す概略図である。この電気泳動表示装置は、電気泳動表示素子２と、この電気泳動表示素子２を駆動する駆動電源３ａと、駆動電源３ａの電源電圧を受けて電気泳動表示素子２に対して印加する所定幅の駆動パルス信号Ｓ５を生成するパルス制御回路５と、駆動電圧印加時に電気泳動表示素子２に流れる電流値を検出する電流計２４ａと、電流計２４ａによる計測電流値がたとえば略２００μＡになると、飽和状態に達したものとして、パルス制御回路５によるパルス出力を停止させる制御信号Ｓ２５をパルス制御回路５に出力する電流飽和検出回路２５ａとを具備する。
そして、パルス制御回路５および電流飽和検出回路２５ａにより電圧印加制御手段を構成している。
【００４１】
本第６実施例によれば、上述した第３実施例の場合と同様に、顔料が移動を終了した時間に電気泳動表示素子２の駆動を確実に停止することができ、電極反応や電気分解による電気泳動表示素子の劣化を確実に防止することができる。
【００４２】
【発明の効果】
本発明の泳動時間測定方法によれば、電気泳動表示装置に対する適正電圧と適正印加時間を容易に求めることができる。
【００４３】
また、輝度検出に基づく場合には、表示面のある一部分だけをスポット的に計ったり、表示面全体を平均的に計る等、種々の態様が可能である。
また、電流検出に基づく場合には、アナログ値を直接的に計測することから、きめ細かな制御が可能である。
【００４４】
本発明の電気泳動表示装置によれば、適正時間で電圧を印加するようにしたので、コントラストの低下を招くことなく、電極反応や電気分解による劣化を可及的に防止できる。
また、本発明の電気泳動表示装置は、適正時間を検出して電圧印加を停止するようにしたので、コントラストの低下を招くことなく、電極反応や電気分解による劣化を確実に防止できる。
【００４５】
また、輝度検出に基づく場合には、たとえば輝度が変化しきったとき、すなわち、表示が変わりきったときの輝度を検出することにより、信頼性の高い適正電圧と適正印加時間を容易に求めることができる。
また、電流検出に基づく場合には、輝度計のような大がかりな装置が必要なく、回路構成が簡単で、いわゆるフィードバックループも構成し易い等の利点がある。
【図面の簡単な説明】
【図１】本発明の泳動時間測定方法に用いる装置の概要を示す概略構成図である。
【図２】電気泳動表示装置の電圧印加時間に対する輝度の変化を示すグラフである。
【図３】予め設定する印加時間と印加電圧範囲を示すグラフである。
【図４】本発明の泳動時間測定方法の処理手順の一例を示すフローチャートである。
【図５】本発明の第２実施例の電気泳動表示装置の概略構成図である。
【図６】本発明の第３実施例の電気泳動表示装置の構成を示すブロック図である。
【図７】センサー出力判断手段の処理手順を示すフローチャートである。
【図８】本発明の他の泳動時間測定方法に用いる装置の概要を示す概略構成図である。
【図９】電気泳動表示装置の電圧印加時間に対する電流の変化を示すグラフである。
【図１０】本発明の他の泳動時間測定方法の処理手順を示すフローチャートである。
【図１１】本発明の第５実施例の電気泳動表示装置の構成を示すブロック図である。
【図１２】本発明の第６実施例の電気泳動表示装置の構成を示すブロック図である。
【図１３】電気泳動表示素子の構成を示す断面図である。
【図１４】電気泳動表示素子の作動を説明する説明図である。
【符号の説明】
２                            電気泳動表示素子
３，３ａ，３ｂ    駆動電源
４，４ａ                電圧印加時間制御装置
５              パルス制御回路
１０                        ガラス基板
１１                        隔壁
１２                        電極
１３                        電気泳動分散液
１３ａ          着色分散媒
１３ｂ                    顔料
２１            輝度計（センサー）
２２，２５      処理手段
２４            電流検出器
２４ａ          電流計
２５ａ          電流飽和検出回路
【図１】
0003627294.tif 000002
【図２】
0003627294.tif 000003
【図３】
0003627294.tif 000004
【図４】
0003627294.tif 000005
【図５】
0003627294.tif 000006
【図６】
0003627294.tif 000007
【図７】
0003627294.tif 000008
【図８】
0003627294.tif 000009
【図９】
0003627294.tif 000010
【図１０】
0003627294.tif 000011
【図１１】
0003627294.tif 000012
【図１２】
0003627294.tif 000013
【図１３】
0003627294.tif 000014
【図１４】
0003627294.tif 000015